(57)【要約】【課題】高周波回路に適用した場合であっても、簡易な構成でインピーダンスマッチングを図ることができるコネクタ、コネクタ付き電気光学装置及び電子機器を提供する。【解決手段】異なる基板上に設けられた第１の電気配線及び第２の電気配線を電気接続するためのコネクタ、コネクタ付き電気光学装置及び電子機器であって、第１の電気配線と電気接続される第１のコネクタピンを含む第１のコネクタ部と、第２の電気配線と電気接続される第２のコネクタピンを含む第２のコネクタ部と、を有し、第１のコネクタピンは、凸部を含む第１の基部に設けてあり、かつ、第２のコネクタピンは、凹部を含む第２の基部に設けてあり、更に、凸部と凹部が係合されることにより、第１のコネクタピンと第２のコネクタピンとが圧接されて電気接続可能であり、第１のコネクタピンと第２のコネクタピンとが圧接する際の接触面が、基板の水平面に対して傾斜している。【選択図】  図１
2007242383.tif 000002
【特許請求の範囲】
【請求項１】
異なる基板上に設けられた第１の電気配線及び第２の電気配線を電気接続するためのコネクタであって、
前記第１の電気配線と電気接続される第１のコネクタピンを含む第１のコネクタ部と、前記第２の電気配線と電気接続される第２のコネクタピンを含む第２のコネクタ部と、を有し、
前記第１のコネクタピンは、凸部を含む第１の基部に設けてあり、かつ、前記第２のコネクタピンは、凹部を含む第２の基部に設けてあり、更に、前記凸部と前記凹部が係合されることにより、前記第１のコネクタピンと第２のコネクタピンとが圧接されて電気接続可能であり、
前記第１のコネクタピンと前記第２のコネクタピンとが圧接する際の接触面が、前記基板の水平面に対して傾斜していることを特徴とするコネクタ。
【請求項２】
前記第１のコネクタ部及び第２のコネクタ部を、前記基板上に直接的に載置することを特徴とする請求項１に記載のコネクタ。
【請求項３】
前記第１のコネクタピン及び第２のコネクタピンの、延在方向に垂直な平面で切断したときの断面形状が半円形状であることを特徴とする請求項１又は２に記載のコネクタ。
【請求項４】
前記接触面の傾斜角度を、前記基板の水平面に対して１０〜８０°の範囲内の値とすることを特徴とする請求項１〜３のいずれか一項に記載のコネクタ。
【請求項５】
前記第１のコネクタピン及び第２のコネクタピンの表面には、接触抵抗を調整するための導電膜が形成してあることを特徴とする請求項１〜４のいずれか一項に記載のコネクタ。
【請求項６】
前記第１のコネクタ部及び第２のコネクタ部の少なくともいずれか一方のコネクタ部の外周には金属フレームが設けられ、当該金属フレームは、短絡してあるとともに前記第１のコネクタピン及び第２のコネクタピンに対して電気的に絶縁してあることを特徴とする請求項１〜５のいずれか一項に記載のコネクタ。
【請求項７】
第１の電気配線を備えるとともに、当該第１の電気配線と外部機器とを電気接続するための第１のコネクタ部を備えたコネクタ付き電気光学装置であって、
前記第１のコネクタ部は、前記第１の電気配線と電気接続されるとともに、前記外部機器側に配置された第２のコネクタ部の第２のコネクタピンと圧接される第１のコネクタピンを有し、
前記第１のコネクタピンは、第１の凸部又は第１の凹部を含む第１の基部に設けてあり、前記外部機器側に配置された第２のコネクタ部の第２の凸部又は第２の凹部を含む第２の基部に設けてある前記第２のコネクタピンとは、前記第１の凸部及び第２の凹部、又は前記第１の凹部及び第２の凸部が係合されることにより、圧接されて電気接続可能であり、
前記第１のコネクタピンが前記第２のコネクタピンと圧接する際の接触面が、前記第１のコネクタ部が配置された基板の表面に対して傾斜していることを特徴とするコネクタ付き電気光学装置。
【請求項８】
請求項１〜６のいずれか一項に記載されたコネクタを備えた電子機器。
【発明の詳細な説明】
【技術分野】
【０００１】
本発明は、コネクタ、コネクタ付き電気光学装置及び電子機器に関する。特に、接点部分を所定の構造とすることにより、インピーダンスマッチングを容易に行うことができるコネクタ、コネクタ付き電気光学装置及び電子機器に関する。
【背景技術】
【０００２】
従来、電気光学装置の一態様である液晶装置は、それぞれ電極を備えた一対の基板を対向配置するとともに、当該一対の基板間に液晶材料を配置して構成されている。この液晶装置は、対向する電極に電圧を印加して液晶材料を配向させ、通過する光を偏向させることにより、画像表示させるものである。
このような液晶装置を動作させるにあたり、基板上に配置された電気配線と、駆動手段としての外部機器と、を電気的に接続する電子部品として、所定形状を有するコネクタがある。ここで用いられるコネクタとしては、例えば、基板間コネクタとしての、ＢｔｏＢ（Board To Board）コネクタやＺＩＦ（Zero Insertion Force）コネクタが挙げられ、それぞれ用途に合わせて適宜用いられている。
しかしながら、このような汎用型コネクタは、その構造が比較的簡易であることから、経済性に優れるものの、外部から機械的衝撃が加わったような場合には、接点がずれて接触抵抗が変化したり、場合によっては導通がとれなくなるといった問題が見られた。
【０００３】
そこで、このような問題を解決するために、コネクタピン同士の接点界面に、導電性部材からなるソケットコネクタを配置することで、接点での接触状態を安定化させるとともに、ピンコネクタの接触及び非接触状態を容易に切り替えることができる平行基板用コネクタ（基板間コネクタ）が開示されている。
より具体的には、図１２に示すように、平行に配置された第１の基板５０３及び第２の基板５０４との間にソケットコネクタ５０２が介在してなる平行基板用コネクタ５００において、ピンコンタクト５１１同士を電気接続するにあたり、その界面にソケットコネクタ５０２及び接触部５２１ｄ、５２１ｅを介在させることで、ピンコンタクト間の接触状態を維持することができる。（例えば特許文献１参照）。
【特許文献１】特開２０００−２９４３１７号公報（特許請求の範囲、図１）
【発明の開示】
【発明が解決しようとする課題】
【０００４】
しかしながら、特許文献１に記載の基板間コネクタを用いた場合には、接触状態を安定化させることはできたものの、接点部分がコンタクトピン先端部分における点接触であることから、ピンコンタクトの押圧力が僅かに変化した場合であっても、その接触抵抗を大きく変化させてしまう場合が見られた。
このように接触抵抗が変化しやすいコネクタを、高速信号を伝送させるような高周波回路に適用したような場合には、その接触界面でのインピーダンスが上昇して、入力インピーダンスと出力インピーダンスとの値にズレが生じる、いわゆるインピーダンス不整合が生じていた。
このように、インピーダンスに不整合が生じたコネクタを用いる結果、コネクタ部分で信号が反射して元の伝送信号に悪影響を与えたり、伝送信号自身が劣化して通信障害を生じさせる場合が見られた。
【０００５】
そこで、本発明の発明者らは鋭意検討した結果、異なる基板上に設けられた電気配線を電気接続する際に用いられるコネクタにおいて、コネクタピンの接触面を基板面に対して傾斜させることにより、接触面の面積を広げて接触抵抗の上昇を抑え、コネクタ部分におけるインピーダンス不整合の発生を防止することができることを見出し、本発明を完成させたものである。
すなわち、本発明は、高周波回路に適用した場合であっても、コネクタ部において優れたインピーダンスマッチングを図ることができるコネクタ、コネクタ付き電気光学装置及びそれらを備えた電子機器を提供することを目的とする。
【課題を解決するための手段】
【０００６】
本発明によれば、異なる基板上に設けられた第１の電気配線及び第２の電気配線を電気接続するためのコネクタであって、第１の電気配線と電気接続される第１のコネクタピンを含む第１のコネクタ部と、第２の電気配線と電気接続される第２のコネクタピンを含む第２のコネクタ部と、を有し、第１のコネクタピンは、凸部を含む第１の基部に設けてあり、かつ、第２のコネクタピンは、凹部を含む第２の基部に設けてあり、更に、凸部と凹部が係合されることにより、第１のコネクタピンと第２のコネクタピンとが圧接されて電気接続可能であり、第１のコネクタピンと第２のコネクタピンとが圧接する際の接触面が、基板の水平面に対して傾斜していることを特徴とするコネクタが提供され、上述した問題を解決することができる。
すなわち、第１のコネクタピンと第２のコネクタピンとを圧接させて電気接続する際に、そのコネクタピン同士の接触面を、コネクタ部が配置された基板の水平面に対して傾斜させることにより、接触面積を広げて接触抵抗の上昇を抑えることができる。
したがって、コネクタピン同士の接点部分でのインピーダンスの上昇を抑えて、コネクタ部におけるインピーダンスマッチングを容易に行うことができ、高周波回路に適したコネクタとすることができる。
【０００７】
また、本発明のコネクタを構成するにあたり、第１のコネクタ部及び第２のコネクタ部を、基板上に直接的に載置することが好ましい。
このように構成することにより、いわゆるＢｔｏＢコネクタを構成することができ、コネクタ部分を縮小して、装置の小型化や表示領域の拡大に資することができる。
【０００８】
また、本発明のコネクタを構成するにあたり、第１のコネクタピン及び第２のコネクタピンの、延在方向に垂直な平面で切断したときの断面形状が半円形状であることが好ましい。
このように構成することにより、コネクタピン同士の接触面を更に拡大させることができ、インピーダンスマッチングを更に容易に行うことができる。
【０００９】
また、本発明のコネクタを構成するにあたり、接触面の傾斜角度を、基板の水平面に対して１０〜８０°の範囲内の値とすることが好ましい。
このように構成することにより、接触面の面積を所定範囲内に制御することができ、その結果、コネクタ部におけるインピーダンス値を所定範囲内に制御することができる。
【００１０】
また、本発明のコネクタを構成するにあたり、第１のコネクタピン及び第２のコネクタピンの表面には、接触抵抗を調整するための導電膜が形成してあることが好ましい。
このように構成することにより、導電膜の厚さや材質によって接触抵抗を制御することができ、形状による調整と合わせることにより、更に精度良くインピーダンスマッチングを行うことができる。
【００１１】
また、本発明のコネクタを構成するにあたり、第１のコネクタ部及び第２のコネクタ部の少なくともいずれか一方のコネクタ部の外周には金属フレームが設けられ、当該金属フレームは、短絡してあるとともに第１のコネクタピン及び第２のコネクタピンに対して電気的に絶縁してあることが好ましい。
このように構成することにより、外部からの電磁波の影響による誤動作を防止するとともに、当該コネクタから発生する電磁波が外部に漏洩することも防止して、ＥＭＣ（Electro-Magnetic Compatibility：電磁環境適合性）やＥＭＳ（Electro-Magnetic
Susceptibility：電磁感受性）に優れたコネクタとすることができる。
【００１２】
また、本発明の別の態様は、第１の電気配線を備えるとともに、当該第１の電気配線と外部機器とを電気接続するための第１のコネクタ部を備えたコネクタ付き電気光学装置であって、第１のコネクタ部は、第１の電気配線と電気接続されるとともに、外部機器側に配置された第２のコネクタ部の第２のコネクタピンと圧接される第１のコネクタピンを有し、第１のコネクタピンは、第１の凸部又は第１の凹部を含む第１の基部に設けてあり、外部機器側に配置された第２のコネクタ部の第２の凸部又は第２の凹部を含む第２の基部に設けてある第２のコネクタピンとは、第１の凸部及び第２の凹部、又は第１の凹部及び第２の凸部が係合されることにより、圧接されて電気接続可能であり、第１のコネクタピンが第２のコネクタピンと圧接する際の接触面が、第１のコネクタ部が配置された基板の表面に対して傾斜していることを特徴とするコネクタ付き電気光学装置である。
したがって、このように構成される電気光学装置であれば、高速信号を用いて駆動させた場合であっても、インピーダンス不整合の発生が少なく、正確かつ安定的に高速駆動させることができる。
【００１３】
また、本発明のさらに別の態様は、上述したいずれかの電気光学装置を備えた電子機器である。
すなわち、高周波回路に適したコネクタを含む電気光学装置を備えるために、伝送信号を高速化させた場合であってもインピーダンスマッチングを容易に行うことができる電子機器を提供することができる。
【００１４】
［第１実施形態］
本発明における第１実施形態は、所定形状を有する第１のコネクタ部及び第２のコネクタ部からなるコネクタであって、第１のコネクタ部に設けられた第１の凸部と、第２のコネクタ部に設けられた第２の凹部と、が係合する構造を有するコネクタを例に採って、図１〜図７を適宜参照しつつ説明する。
【００１５】
１．基本的構成
図１に本発明におけるコネクタ１００の概略斜視図を示す。このコネクタ１００は、主に、第１のコネクタ部１０１と、当該第１のコネクタ部１０１と係合する第２のコネクタ部２０１と、から構成されている。
また、第１のコネクタ部１０１は、樹脂材料等の絶縁性材料からなる第１の基部１０２と、当該第１の基部１０２上に設けられ、基板上に設けられた第１の電気配線（図示せず）と電気接続された第１のコネクタピン１０３と、から構成されている。
また、第２のコネクタ部２０１は、絶縁性材料からなる第２の基部２０２と、当該第２の基部２０２上に設けられ、外部機器内に設けられた第２の電気配線（図示せず）と電気接続された第２のコネクタピン２０３と、から構成されている。
このように構成された第１のコネクタ部１０１及び第２のコネクタ部２０１は、第１の基部１０２に設けられた第１の凸部１０４と、第２の基部に設けられた第２の凹部２０４と、がそれぞれ組み合うように係合させることができる。このように組み合わせることにより、第１のコネクタピン１０３と、第２のコネクタピン２０３とが、その接点においてそれぞれ接触して電気的に接続されることとなる。
【００１６】
２．接触状態１
図２（ａ）〜（ｂ）はコネクタピン同士が接触する接点近傍の拡大断面図であって、コネクタピンの延在方向に沿った断面（図１中ＥＥ断面）で切断したときの断面図を示している。また、図２(ａ)はコネクタピン同士の接点を開放した状態を図示しており、図２（ｂ）は、接触させた状態をそれぞれ示している。
この図２（ａ）〜（ｂ）に示すように、本発明のコネクタはコネクタピン同士の接触面が所定の傾斜角θをもって傾斜していることを特徴とする。この理由は、このように傾斜面を持たせることにより、限られたスペースの中で接触面積を変更することができ、接点部分に発生する接触抵抗の上昇を抑えることができるためである。
したがって、このように接触抵抗の上昇を抑えたコネクタであれば、後述するようにコネクタ部におけるインピーダンスの増大を防止して、インピーダンスマッチングを容易に行うことができる。
また、この傾斜角θは、基板６０の水平面に対して１０〜８０°の範囲内の値とすることが好ましい。すなわち、第１の凸部１０４及び第２の凹部２０４の係合する部分の斜面の角度を基板の水平面に対して傾斜させることが好ましい。
この理由は、このような形状の接触面とすることにより、接触抵抗の値を傾斜角θに対応させて変化させることができ、インピーダンスマッチングの調整性に優れたコネクタとすることができるためである。
ここで、コネクタ部の接触抵抗及び傾斜角θがコネクタのインピーダンス値に与える影響について説明する。
一般に、基板上に配置された伝送経路は、図３（ａ）に示す等価回路１６０を構成する。この等価回路１６０に対して、振動数ω（Ｈｚ）の交流電圧Ｖを印加した場合に、回路内に発生する抵抗成分をそれぞれ、抵抗Ｒ（Ω）、自己インダクタンスＬ（Ｈ）、キャパシタンスＣ（Ｆ）としたとき、この等価回路１６０のインピーダンスＺ0（Ω）は下記式（１）で表される。
【００１７】
【数１】
2007242383.tif 000003
このように表記されるインピーダンスＺ0は、一般に、振動数ωに比べてＲが小さいことから、下記式（１）´のように近似することができる。
【００１８】
【数２】
2007242383.tif 000004
【００１９】
この近似式において、自己インダクタンスＬ及びキャパシタンスＣは、ともに伝送経路の長さに比例する値となっていることから、結果的に、式（１）´におけるインピーダンスＺ0の値は、伝送経路の長さに依存しない値となる。したがって、所定の電子回路においてインピーダンスマッチングを行う場合、任意に区切られた回路ブロック毎にインピーダンス値を算出し、その値をそれぞれ一致させておくことで、回路全体のインピーダンスマッチングを図ることができる。
しかしながら、抵抗Ｒの値が他のパラメータに比べて十分小さくないような場合や、高速伝送時のように抵抗Ｒを無視できないような場合には、必ずしもこの近似式は成立しない。この場合には、やはりインピーダンスＺ0においては、上記式（１）として求める必要があり、抵抗Ｒを考慮する必要がある。
すなわち、本発明のようなコネクタにおいては、コネクタピン同士の接触抵抗をＲ´とした場合には、図３（ｂ）に示すような等価回路１６０´を構成することとなる。
この等価回路において、インピーダンスＺ0´は、下記式（２）として表記することができる。
【００２０】
【数３】
2007242383.tif 000005
このように表記されるインピーダンスＺ0´において、接触抵抗Ｒ´は下記式（３）で表記することができる。
【００２１】
【数４】
2007242383.tif 000006
【００２２】
この式（３）において、ρは抵抗率、Ｓはθ＝９０°のときの接触面の面積、Ｄは伝導方向の長さ、θは傾斜角をそれぞれ示している。
したがって、接触面を水平方向に傾斜させるほど、接触抵抗Ｒ´の値は小さくなり、結果的にインピーダンスＺ0の値を下げることができる。
しかしながら、この傾斜角θの値を過度に小さくしすぎた場合、すなわち、接触面積を過度に広げすぎた場合には、接触抵抗は抑えることができるものの、コネクタ全体が幅広になって、装置全体の小型化を阻害する場合が見られる。
また逆に、傾斜角θの値を過度に大きくしすぎた場合、十分に接触抵抗を下げることができずに、インピーダンス不整合が生じる原因となり得る。
したがって、かかる傾斜角の範囲としては、２０〜８０°の範囲内の値とすることが好ましく、３０〜７０°の範囲内の値とすることがより好ましい。
【００２３】
また、図４（ａ）〜（ｂ）に示すように、所定の傾斜角を有する接点は、凸部及び凹部が係合する一対のコネクタピンにおいて２箇所に存在する。
このような形状を有するコネクタにおいて、左右の接点における傾斜角をそれぞれ異ならせた基部を有するコネクタとすることが好ましい。より具体的には、図４(ａ)に示すように、左右の接点部分の傾斜角をそれぞれθ１及びθ２としたとき、θ１とθ２をそれぞれ異ならせた第１の凸部１０４ａ及び第２の凹部２０４ａを有するコネクタ１００ａとすることが好ましい。
この理由は、このように２つの傾斜角をそれぞれ独立に制御してインピーダンスマッチングを図ることができ、よりインピーダンス調整性に優れたコネクタとすることができるためである。
また、図４（ｂ）に示すように、傾斜面を湾曲形状とした第１の凸部１０４ｂ及び第２の凹部２０４ｂを有するコネクタ１００ｂとすることも好ましい。
この理由は、このように傾斜面を所定の曲率で湾曲させることで、係合させる際の噛み合わせをスムーズに行うことができるとともに、傾斜面を直線とした場合と比較して、接触面積を広げることができ、より接触抵抗の上昇を抑えることができるためである。
なお、このように湾曲したときの傾斜角は、図４（ｂ）に示すように、傾斜面の最下点Ａと最上点Ｂとを結んだ仮想平面の傾斜角θ´と定義することができる。
【００２４】
３．接触状態２
また、図５（ａ）〜（ｃ）において、接点でのコネクタピンの延在方向と垂直な断面で切断したとき、すなわち、図２（ｂ）におけるＡＡ断面で切断したときの断面図を示す。
この断面図に示すように、第１のコネクタピンと第２のコネクタピンとが勘合する際の形状は、その態様に合わせて様々な形状をとることができる。
より具体的には、図５（ａ）に示すように、当該切断面の断面形状が半円形状である第１のコネクタピン１０３ａ及び第２のコネクタピン２０３ａとすることが好ましい。
この理由は、このような形状とすることで、隣接するコネクタピン間の距離を狭めることなく、接触面積を広げることができ、インピーダンスマッチングを更に容易に図ることができるためである。
また、このように半円形状とした場合には、その弦の長さＤを０．１〜３ｍｍの範囲内の値とすることが好ましい。
この理由は、このような範囲内の値とすることにより、コネクタピン同士の接触を防止しつつ、その接触抵抗を抑えることができるためである。したがって、コネクタピンのピッチ間隔等の変更といった設計変更を伴うことなく、簡易な方法で接触抵抗の低減を図ることができるためである。
しかしながら、この弦の長さＤが過度に大きくなりすぎた場合には、コネクタピン自身の形状が幅広となり、配線間ピッチの縮小に対応できない場合がある。また逆に、小さくなり過ぎた場合には、十分に接触抵抗を抑えることができない場合がある。
したがって、かかる長さの範囲としては、０．１５〜２．５ｍｍの範囲内の値とすることが好ましく、０．２〜２．０ｍｍの範囲内の値とすることがより好ましい。
また、図５（ｂ）に示すように、接点界面にそれぞれ微細な凹凸形状を備えた第１のコネクタピン１０３ｂ及び第２のコネクタピン２０３ｂとすることも好ましい。
この理由は、このような形状とすることで、第１のコネクタピン１０３ｂと第２のコネクタピン２０３ｂとが強固に勘合して、更に接触抵抗の低減を図ることができる為である。
また、図中左右方向への機械的衝撃が加わったような場合でも、その接点界面のずれを防止して、接触抵抗の上昇を防止することができるためである。
また、図５（ｃ）に示すように、コネクタピンの表面に接触抵抗を調整するための導電膜１０３ｃ´及び２０３ｃ´が形成してある第１のコネクタピン１０３ｃ及び第２のコネクタピン２０３ｃとすることが好ましい。
この理由は、コネクタピンの径が縮小化され、上述したような微細加工を施すことが困難であるような場合でも、蒸着や塗布といった従来公知の簡易な手法で導電膜を形成して、接触抵抗の低減を効果的に図ることができるためである。
また、この導電膜の材質としては電気抵抗率の低い材料であれば特に制限されるものではないが、例えば、金、銀、銅、アルミニウムといった従来電気配線に用いられてきた金属材料を用いることができる。
【００２５】
４．コネクタピン
また本発明におけるコネクタにおいて、図６（ａ）〜（ｂ）に示すように、信号伝送経路としてのコネクタピンを、高周波信号を伝送するための所定のシールド線とすることが好ましい。
より具体的には、図６（ａ）に示すように、第１のコネクタピン１０３ｄの対向する位置であって、第１の基部１０２の内部に埋め込むようにアース線１０３ｄ´を配置したマイクロストリップラインとすることが好ましい。
この理由は、このように絶縁材料を介在してアース配線と対向させることにより、コネクタピン１０３ｄからの電磁波放射を防止するとともに、外部からの電磁波を遮断して、ノイズ発生が少なく高周波回路に適したコネクタとすることができるためである。
また、図６（ｂ）に示すように、第１のコネクタピン１０３ｅと、アース配線１０３ｅ´とが平面方向において交互に配置されたコプレナーラインとすることが好ましい。
この理由は、このように伝送線とアース線とを交互に配置することにより、隣接するコネクタピン同士の電磁的干渉によるノイズの発生を防止して、高周波回路に適したコネクタとすることができるためである。
なお、上述したコネクタピンの態様は、第１のコネクタピンを例に採って示してあるが、これらは全て第２のコネクタピンにも同様に適用することができる。
【００２６】
５．フレーム
また、本発明のコネクタ１００に対して、所定のフレームを加えることにより、高速伝送に適したコネクタとすることができる。
より具体的には、図７に示すように、第１の基部１０２及び第２の基部２０２の内部に金属フレーム１７１及び１７２をそれぞれ配置することが好ましい。
また、この金属フレーム１７１及び１７２は、一端がアース端子と接続されて短絡してあるとともに、コネクタピンとは電気的に絶縁するように、凹凸形状を備えていることが好ましい。
この理由は、このような短絡してある金属部材でコネクタを覆うことにより、外部からの電磁波を遮断することができ、ノイズ等による誤動作の発生を防止することができるためである。また、コネクタ自身から発生する電磁波が外部に漏洩することもまた防止することができるためである。
【００２７】
［第２実施形態］
本発明における第２実施形態は、所定形状を有する第１のコネクタ部を備えたコネクタ付き電気光学装置である。
以下、本実施形態の電気光学装置として、ＴＦＴ素子（Thin Film
Transistor）を備えた液晶装置に用いられる素子基板上に、直接的にコネクタを備えたコネクタ付き液晶装置用基板及びそれを用いた液晶装置を例に採って説明する。ただし、本発明は、ＴＦＴ素子を備えた液晶装置だけでなく、ＴＦＤ素子（Thin
Film Diode）を備えたアクティブマトリクス型の液晶装置や、スイッチング素子を備えていないパッシブマトリクス型の液晶装置をはじめとして、種々の電気光学装置に適用することができる。
また、かかるコネクタ付き液晶装置用基板は、素子基板及び対向基板の少なくとも一方とすることができるが、本実施形態においては、素子基板側にコネクタを備えた液晶装置用基板を例に採って説明する。
また、それぞれの図中、同一の符号が付されているものについては同一の部材を示し、適宜説明を省略する一方、それぞれの図において、一部の部材が適宜省略されている。
また、第１の実施形態において説明した内容は適宜省略し、第２の実施形態として特徴的な部分を中心に説明する。
【００２８】
１．基本的構成
まず、本実施形態に係る液晶装置の基本的構成について説明する。ここで、図８は、本実施形態の液晶装置１０の概略斜視図を示し、図９は、その画素領域部分の断面図である。
かかる図８に示すように、液晶装置１０は、対向基板３０と素子基板６０とが、それらの周辺部においてシール材２３によって貼り合わせられ、対向基板３０、素子基板６０及びシール材２３によって囲まれる間隙内に液晶材料（図示せず）が封入されている。
かかる液晶装置１０に備えられた液晶パネルにおいて、素子基板６０は、対向基板３０の外形よりも外側に張り出してなる基板張出部６０Ｔを有している。また、この基板張出部６０Ｔにおける、液晶材料（図示せず）を保持する面側には、外部接続用端子６７が形成されているとともに、当該外部接続用端子６７に対して、半導体素子９１やパネル駆動用フレキシブル基板（ＦＰＣ）９３が接続されている。さらに、かかるフレキシブル基板が接続された液晶パネルが、プラスチック等からなる筐体に、光源（図示せず）等とともに収容されることにより、液晶装置１０が構成されている。
【００２９】
また、図９に示すように、対向基板３０は、ガラス、プラスチック等によって形成され、当該対向基板３０上には、カラーフィルタすなわち着色層３７ｒ、３７ｇ、３７ｂと、その着色層３７ｒ、３７ｇ、３７ｂの上に形成された対向電極３３と、その対向電極３３の上に形成された配向膜４５とを備えている。また、反射領域Ｒにおける、着色層３７ｒ、３７ｇ、３７ｂと対向電極３３との間には、リタデーションを最適化するための絶縁層４１を備えている。
ここで、対向電極３３は、ＩＴＯ（インジウムスズ酸化物）等によって対向基板３０の表面全域に形成された面状電極である。また、着色層３７ｒ、３７ｇ、３７ｂは、素子基板６０側の画素電極６３に対向する位置にＲ（赤）、Ｇ（緑）、Ｂ（青）又はＣ（シアン）、Ｍ（マゼンタ）、Ｙ（イエロー）等といった各色のいずれかの色フィルタエレメントを備えている。そして、着色層３７ｒ、３７ｇ、３７ｂの隣であって、画素電極６３に対向しない位置にブラックマスク又はブラックマトリクスすなわち遮光膜３９が設けられている。
【００３０】
また、対向基板３０に対向する素子基板６０は、ガラス、プラスチック等によって形成され、当該素子基板６０上には、スイッチング素子として機能するアクティブ素子としてのＴＦＴ素子６９と、透明な絶縁膜８１を挟んでＴＦＴ素子６９の上層に形成された画素電極６３とを備えている。
ここで、画素電極６３は、反射領域Ｒにおいては反射表示を行うための光反射膜７９（６３ａ）を兼ねて形成されるとともに、透過領域Ｔにおいては、ＩＴＯなどにより透明電極６３ｂとして形成される。また、画素電極６３ａとしての光反射膜７９は、例えばＡｌ（アルミニウム）、Ａｇ（銀）等といった光反射性材料によって形成される。そして、画素電極６３の上には、ポリイミド系の高分子樹脂からなる配向膜８５が形成されるとともに、この配向膜８５に対して、配向処理としてのラビング処理が施される。
【００３１】
また、対向基板３０の外側（すなわち、図９の上側）表面には、位相差板４７が形成され、さらにその上に偏光板４９が形成されている。同様に、素子基板６０の外側（すなわち、図９の下側）表面には、位相差板８７が形成され、さらにその下に偏光板８９が形成されている。さらに、素子基板６０の下方にはバックライトユニット（図示せず）が配置される。
【００３２】
また、ＴＦＴ素子６９は、素子基板６０上に形成されたゲート電極７１と、このゲート電極７１の上で素子基板６０の全域に形成されたゲート絶縁膜７２と、このゲート絶縁膜７２を挟んでゲート電極７１の上方位置に形成された半導体層７０と、その半導体層７０の一方の側にコンタクト電極７７を介して形成されたソース電極７３と、さらに半導体層７０の他方の側にコンタクト電極７７を介して形成されたドレイン電極６６とを有する。
また、ゲート電極７１はゲートバス配線（図示せず）から延びており、ソース電極７３はソースバス配線（図示せず）から延びている。また、ゲートバス配線は素子基板６０の横方向に延びていて縦方向へ等間隔で平行に複数本形成されるとともに、ソースバス配線はゲート絶縁膜７２を挟んでゲートバス配線と交差するように縦方向へ延びていて横方向へ等間隔で平行に複数本形成される。
かかるゲートバス配線は液晶駆動用ＩＣ（図示せず）に接続されて、例えば走査線として作用し、他方、ソースバス配線は他の駆動用ＩＣ（図示せず）に接続されて、例えば信号線として作用する。
また、画素電極６３は、互いに交差するゲートバス配線とソースバス配線とによって区画される方形領域のうちＴＦＴ素子６９に対応する部分を除いた領域に形成されている。
【００３３】
ここで、ゲートバス配線及びゲート電極は、例えばクロム、タンタル等によって形成することができる。また、ゲート絶縁膜は、例えば窒化シリコン（ＳｉＮｘ）、酸化シリコン（ＳｉＯｘ）等によって形成される。また、半導体層は、例えばドープトａ−Ｓｉ、多結晶シリコン、ＣｄＳｅ等によって形成することができる。さらに、コンタクト電極は、例えばａ−Ｓｉ等によって形成することができ、ソース電極及びそれと一体をなすソースバス配線並びにドレイン電極は、例えばチタン、モリブデン、アルミニウム等によって形成することができる。
【００３４】
また、有機絶縁膜８１は、ゲートバス配線、ソースバス配線及びＴＦＴ素子を覆って素子基板６０上の全域に形成されている。但し、有機絶縁膜８１のドレイン電極６６に対応する部分にはコンタクトホール８３が形成され、このコンタクトホール８３の所で画素電極６３とＴＦＴ素子６９のドレイン電極６６との導通がなされている。
また、かかる有機絶縁膜８１には、反射領域Ｒに対応する領域に、散乱形状として、山部と谷部との規則的な又は不規則的な繰り返しパターンから成る凹凸パターンを有する樹脂膜が形成されている。この結果、有機絶縁膜８１の上に積層される光反射膜７９（６３ａ）も同様にして凹凸パターンから成る光反射パターンを有することになる。但し、この凹凸パターンは、透過領域Ｔには形成されていない。
【００３５】
以上のような構造を有する液晶装置１０において、反射表示の際には、太陽光や室内照明光などの外光が、対向基板３０側から液晶装置１０に入射するとともに、着色層３７ｒ、３７ｇ、３７ｂや液晶材料２１などを通過して光反射膜７９に至り、そこで反射されて再度液晶材料２１や着色層３７ｒ、３７ｇ、３７ｂなどを通過して、液晶装置１０から外部へ出ることにより、反射表示が行われる。
一方、透過表示の際には照明装置が点灯されるとともに、照明装置から出射された光が、透光性の透明電極６３ｂ部分を通過し、着色層３７ｒ、３７ｇ、３７ｂ、液晶材料２１などを通過して液晶装置１０の外部へ出ることにより、透過表示が行われる。
【００３６】
２．配置位置
また、本発明のコネクタを素子基板６０上に配置することで、コネクタ付き液晶装置用基板６０を構成することができる。
このとき、コネクタの配置位置としては、配線設計等によって様々な態様を採ることができるが、例えば、図１０（ａ）に示すように、第１のコネクタ部１０１あるいは第２のコネクタ部１０２を、素子基板６０上に直接的に配置することが好ましい。
この理由は、このようなコネクタを用いることで、携帯電話等の小型機器に適用するような場合でも、装置全体の小型化を阻害することなく用いることができるためである。
また一般に、基板上に直接コネクタを配置した場合には、基板に対して機械的衝撃が加わったような場合に、接続部分であるコネクタに負荷が加わりやすい傾向にある。このようにコネクタに負荷が加わった場合、コネクタ部がずれて接触抵抗が変化し、ノイズとなって伝送信号に悪影響を与えることがある。しかしながら、本発明のようなコネクタであれば、外部からの機械的衝撃によってコネクタ部分に多少の歪みが生じた場合であっても、接触面の接触面積が広く、安定的に電気接続してあることから、このような問題の発生を防止して、正確な信号伝送を行うことができる。
また、図１０（ｂ）に示すように、素子基板の張り出し部６０Ｔに、ＡＣＦ等を介して電気的に接続されたフレキシブル回路基板９３上に第１のコネクタ部１０１あるいは第２のコネクタ部１０２を配置した電気光学装置用基板（素子基板）６０とすることが好ましい。
この理由は、このように、外部機器とのインターフェイスであるフレキシブル回路基板上に配置することにより、高速伝送信号を採用した液晶装置にも対応したインターフェイスを構成することができるためである。
【００３７】
［第３実施形態］
本発明の第３実施形態は、第１実施形態のコネクタを備えた電子機器である。
図１１は、本実施形態の電子機器の全体構成を示す概略構成図である。この電子機器は、液晶装置に備えられた液晶パネル２０と、これを制御するための制御手段２００とを有している。また、図１１中では、液晶パネル２０を、パネル構造体２０Ａと、半導体素子（ＩＣ）等で構成される駆動回路２０Ｂと、に概念的に分けて描いてある。また、制御手段２００は、表示情報出力源２０１と、表示処理回路２０２と、電源回路２０３と、タイミングジェネレータ２０４とを備えている。
また、表示情報出力源２０１は、ＲＯＭ（Read Only Memory）やＲＡＭ（Random
Access Memory）等からなるメモリと、磁気記録ディスクや光記録ディスク等からなるストレージユニットと、デジタル画像信号を同調出力する同調回路とを備え、タイミングジェネレータ２０４によって生成された各種のクロック信号に基づいて、所定フォーマットの画像信号等の形で表示情報を表示処理回路２０２に供給するように構成されている。
【００３８】
また、表示処理回路２０２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２０Ｂへ供給する。さらに、駆動回路２０Ｂは、第１の電極駆動回路、第２の電極駆動回路及び検査回路を含めることができる。また、電源回路２０３は、上述の各構成要素にそれぞれ所定の電圧を供給する機能を有している。
そして、本実施形態の電子機器であれば、高周波回路に適したコネクタにより各部品が電気的に接続してあることから、外部機器から駆動用ドライバＩＣへの伝送信号として高速伝送信号を採用した場合であっても、効果的にインピーダンスマッチングが図られ、ノイズの発生の少ない電子機器とすることができる。
【産業上の利用可能性】
【００３９】
本発明によれば、第１のコネクタピンと第２のコネクタピンとを圧接させて電気接続する際に、そのコネクタピン同士の接触面を、コネクタ部が配置された基板の水平面に対して傾斜させることにより、接触面積を広げて接触抵抗の上昇を抑えたコネクタとすることができる。したがって、ＴＦＴ素子を備えた液晶装置等の電気光学装置や電子機器、例えば、携帯電話機やパーソナルコンピュータ等をはじめとして、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電子機器、電子放出素子を備えた装置（ＦＥＤ:Field Emission DisplayやＳＣＥＥＤ：Surface-Conduction Electron-Emitter
Display）などに幅広く適用することができる。
【図面の簡単な説明】
【００４０】
【図１】本発明に係るコネクタの概略斜視図である。
【図２】（ａ）〜（ｂ）は、コネクタピンの接点を示す拡大断面図である。
【図３】（ａ）〜（ｂ）は、インピーダンスと接触抵抗の関係を説明するための図である。
【図４】（ａ）〜（ｂ）は、接点部分における傾斜面を説明するための図である。
【図５】（ａ）〜（ｃ）は、コネクタピンの接点界面の形状を説明するための図である。
【図６】（ａ）〜（ｂ）は、コネクタピンにシールド線を適用した図である。
【図７】フレームを説明するための図である。
【図８】第２実施形態の液晶装置の概略斜視図である。
【図９】第２実施形態の液晶装置に使用される液晶パネルの断面図である。
【図１０】（ａ）〜（ｂ）は、コネクタの配置位置を説明するための概略図である。
【図１１】第３実施形態の電子機器の概略構成を示すブロック図である。
【図１２】従来の基板間コネクタを示す断面図である。
【符号の説明】
【００４１】
１０：液晶装置（電気光学装置）、２０：液晶パネル、３０：対向基板（カラーフィルタ基板）、６０：素子基板、６０Ｔ：基板張出部、９３：フレキシブル基板（パネル駆動用ＦＰＣ）、１００：コネクタ、１０１：第１のコネクタ部、１０２：第１の基部、１０３：第１のコネクタピン、１０４：第１の凸部、１７１、１７２：金属フレーム、２０１：第２のコネクタ部、２０２：第２の基部、２０３：第２のコネクタピン、２０４：第２の凹部
【図１】
2007242383.tif 000007
【図２】
2007242383.tif 000008
【図３】
2007242383.tif 000009
【図４】
2007242383.tif 000010
【図５】
2007242383.tif 000011
【図６】
2007242383.tif 000012
【図７】
2007242383.tif 000013
【図８】
2007242383.tif 000014
【図９】
2007242383.tif 000015
【図１０】
2007242383.tif 000016
【図１１】
2007242383.tif 000017
【図１２】
2007242383.tif 000018